(57)【特許請求の範囲】
【請求項１】
放送電波に関わる周波数帯域内の周波数をシーク受信し、このシーク受信した受信周波数が有効局であると判断すると、このシーク動作を停止するシーク機能を備えた放送受信装置であって、
放送電波の受信を選択すると、前記シーク機能を通じて周波数帯域内を順次シーク受信し、この受信した周波数での受信電界強度が所定値を超えているか否かを判定する受信電界強度判定手段と、
この受信電界強度判定手段にて受信電界強度が所定値を超えていると判定されると、この受信周波数を記憶する受信周波数記憶手段と、
この受信周波数記憶手段に記憶された受信周波数に基づいてスプリアス予測周波数を算出するスプリアス予測算出手段と、
このスプリアス予測算出手段にて算出したスプリアス予測周波数を記憶するスプリアス予測記憶手段と、
前記シーク機能において、前記スプリアス予測記憶手段に記憶されたスプリアス予測周波数でのシーク動作の停止を禁止する制御手段とを有し、
前記スプリアス予測算出手段は、前記受信周波数記憶手段に記憶中の受信周波数の倍数周波数と、前記受信周波数記憶手段に記憶中の受信周波数同士の和である和周波数と、前記受信周波数記憶手段に記憶中の受信周波数同士の差である第１差周波数と、前記受信周波数記憶手段に記憶された受信周波数と前記倍数周波数との差である第２差周波数と、前記倍数周波数同士の差である第３差周波数とを、前記スプリアス予測周波数として算出することを特徴とする放送受信装置。
【請求項２】
前記放送電波は、ＡＭ放送電波であることを特徴とする請求項１記載の放送受信装置。
【発明の詳細な説明】
【０００１】
【発明の属する技術分野】
本発明は、例えばＡＭ放送等の放送電波に関わる周波数帯域内の周波数をシーク受信し、このシーク受信した受信周波数が有効局であると判断すると、このシーク動作を停止するシーク機能を備えたＡＭ放送受信機等の放送受信装置に関する。
【０００２】
【従来の技術】
従来、このようなＡＭ放送受信機においては、ＡＭ放送の放送電波に関わる周波数帯域内の周波数をシーク受信し、このシーク受信した受信周波数が有効局であると判断すると、このシーク動作を停止するシーク機能が備えてある。
【０００３】
このような従来のＡＭ放送受信機によれば、このシーク機能を使用することで、ＡＭ放送の放送電波に関わる周波数帯域内の全有効局を簡単な操作で受信することができる。
【０００４】
また、一般的にＡＭ放送電波は、その伝播特性が良好であることから、一般的に中・強入力電界地域では放送電波同士が干渉しあうスプリアス妨害が発生する。
【０００５】
このスプリアス妨害とは、中・強入力電界地域で実放送局の受信周波数の倍数周波数や、複数局の差・和周波数等に発生するものである。
【０００６】
【発明が解決しようとする課題】
しかしながら、上記従来のＡＭ放送受信機によれば、周波数帯域内をシーク受信し、このシーク受信した受信周波数が有効局であると判断すると、このシーク動作を停止するようにしたが、スプリアス妨害が発生すると、このスプリアス周波数を放送局がない無効局であるにも関わらずに有効局と誤判断してしまい、そのシーク動作を停止してしまうことから、不要なシーク動作の停止が生じていた。
【０００７】
また、上記従来のＡＭ放送受信機によれば、実際の放送局の受信周波数にスプリアス妨害が発生したとしても、このスプリアス周波数が実際の放送局の受信周波数でもあることから、この受信周波数と同一のスプリアス周波数を有効局と判断して、そのシーク動作を停止してしまうことになるが、実際の放送局はスプリアス妨害で混信している混信局であるため、有効局とは言えず、不要なシーク動作の停止が生じていた。
【０００８】
本発明は上記点に鑑みてなされたものであり、その目的とするところは、スプリアス妨害による不要なシーク動作の停止を確実に防止することができる放送受信装置を提供することにある。
【０００９】
【課題を解決するための手段】
上記目的を達成するために本発明の放送受信装置は、放送電波に関わる周波数帯域内の周波数をシーク受信し、このシーク受信した受信周波数が有効局であると判断すると、このシーク動作を停止するシーク機能を備えた放送受信装置であって、放送電波の受信を選択すると、前記シーク機能を通じて周波数帯域内を順次シーク受信し、この受信した周波数での受信電界強度が所定値を超えているか否かを判定する受信電界強度判定手段と、この受信電界強度判定手段にて受信電界強度が所定値を超えていると判定されると、この受信周波数を記憶する受信周波数記憶手段と、この受信周波数記憶手段に記憶された受信周波数に基づいてスプリアス予測周波数を算出するスプリアス予測算出手段と、このスプリアス予測算出手段にて算出したスプリアス予測周波数を記憶するスプリアス予測記憶手段と、前記シーク機能において、前記スプリアス予測記憶手段に記憶されたスプリアス予測周波数でのシーク動作の停止を禁止する制御手段とを有し、前記スプリアス予測算出手段は、前記受信周波数記憶手段に記憶中の受信周波数の倍数周波数と、前記受信周波数記憶手段に記憶中の受信周波数同士の和である和周波数と、前記受信周波数記憶手段に記憶中の受信周波数同士の差である第１差周波数と、前記受信周波数記憶手段に記憶された受信周波数と前記倍数周波数との差である第２差周波数と、前記倍数周波数同士の差である第３差周波数とを、前記スプリアス予測周波数として算出するようにした。
【００１０】
従って、本発明の放送受信装置によれば、放送電波の受信を選択すると、周波数帯域内の周波数を順次シーク受信し、この受信した周波数での受信電界強度が所定値を超えていると判定されると、この受信周波数を記憶しておき、この記憶した受信周波数に基づいてスプリアス予測周波数を算出し、この算出したスプリアス予測周波数をスプリアス予測記憶手段に記憶しておくことで、このスプリアス予測周波数を受信周波数とする、シーク機能によるシーク動作の停止を禁止するようにしたので、スプリアス妨害による、例えば混信局や無効局を有効局と誤判断してしまうことで生じる不要なシーク動作の停止を確実に防止することができる。
【００１２】
また、本発明の放送受信装置によれば、受信周波数記憶手段に記憶中の受信周波数に基づいて簡単にスプリアス予測周波数を算出することができる。
【００１３】
本発明の放送受信装置は、前記放送電波がＡＭ放送電波であるようにした。
【００１４】
従って、本発明の放送受信装置によれば、ＡＭ放送電波の受信を選択すると、ＡＭ周波数帯域内の周波数を順次シーク受信し、この受信した周波数での受信電界強度が所定値を超えていると判定されると、この受信周波数を記憶しておき、この記憶した受信周波数に基づいてスプリアス予測周波数を算出し、この算出したスプリアス予測周波数をスプリアス予測記憶手段に記憶しておくことで、このスプリアス予測周波数を受信周波数とする、シーク機能によるシーク動作の停止を禁止するようにしたので、ＡＭ放送電波に生じやすいスプリアス妨害による、例えば混信局や無効局を有効局と誤判断してしまうことで生じる不要なシーク動作の停止を確実に防止することができる。
【００１５】
【発明の実施の形態】
以下、図面に基づいて本発明の放送受信装置における実施の形態を示すＡＭ／ＦＭ放送受信機について説明する。図１は本実施の形態を示すＡＭ／ＦＭ放送受信機内部の概略構成を示すブロック図である。
【００１６】
図１に示すＡＭ／ＦＭ放送受信機１は、到来する放送電波を受信する受信アンテナ１１と、この受信アンテナ１１にて受信した放送電波を放送信号として高周波増幅する高周波増幅回路１２と、局部発振信号を生成するＰＬＬ回路１３と、高周波増幅回路１２にて高周波増幅した放送信号と局部発振信号とをミキシングすることで中間周波数信号に周波数変換するミキサ回路１４と、この中間周波数信号を増幅するＩＦ増幅回路１５と、この増幅された中間周波数信号を検波する検波回路１６と、ＩＦ増幅回路１５から中間周波数信号のＳメータ電圧を検出するＳメータ検出回路１７と、このＳメータ検出回路１７で検出したＳメータ電圧に基づいて現在受信中の放送局が有効局であるか否かを判定する有効局検出回路１８と、様々な情報を記憶するメモリ部１９と、このＡＭ／ＦＭ放送受信機１全体を制御するマイコン２０とを有している。
【００１７】
マイコン２０は、ＰＬＬ回路１３を可変制御することで、放送電波に関わる周波数帯域内の周波数をシーク受信し、このシーク受信した受信周波数を有効局と判断すると、このシーク動作を停止するシーク機能を備えている。
【００１８】
また、マイコン２０は、例えばＡＭ／ＦＭ放送受信機１への電源投入時やＦＭからＡＭへモード変更時にＡＭ放送電波の受信を選択すると、前記シーク機能を通じて周波数帯域内を順次シーク受信し、この受信した各受信周波数のＳメータが所定値を超えているか否かを有効局検出回路１８に判定させるものである。
【００１９】
メモリ部１９は、有効局検出回路１８にてＳメータが所定値を超えていると判定されると、この受信周波数を記憶する受信周波数メモリ領域１９Ａと、後述するスプリアス予測周波数を記憶する禁止設定メモリ領域１９Ｂとを有している。
【００２０】
マイコン２０は、受信周波数メモリ領域１９Ａに記憶中の受信周波数に基づいてスプリアス予測周波数を算出し、この算出したスプリアス予測周波数を禁止設定メモリ領域１９Ｂに記憶すると共に、この禁止設定メモリ領域１９Ｂに記憶中のスプリアス予測周波数における前記シーク動作の停止を禁止するようにした。
【００２１】
図２はマイコン２０にてスプリアス予測周波数の演算結果を端的に示す説明図である。
【００２２】
図２において、例えば３つの放送局Ｎ０、Ｎ１，Ｎ２として、放送局Ｎ０の受信周波数を６００ｋＨｚ、放送局Ｎ１の受信周波数を１０００ｋＨｚ、放送局Ｎ２の受信周波数を１５００ｋＨｚとする。
【００２３】
図２（Ａ）に示すように放送局Ｎ０、放送局Ｎ１，放送局Ｎ２の受信周波数の整数倍の倍数周波数（２倍周波数Ｎｎ×２、３倍周波数Ｎｎ×３）がスプリアス予測周波数となる。
【００２４】
図２（Ｂ）に示すように放送局Ｎ０，Ｎ１，Ｎ２の受信周波数の夫々２個の和である和周波数（Ｎ０＋Ｎ１、Ｎ１＋Ｎ２等…）がスプリアス予測周波数となる。
【００２５】
図２（Ｃ）に示すように放送局Ｎ０、Ｎ１，Ｎ２の受信周波数の夫々２個の差の絶対値である第１差周波数（Ｎ０−Ｎ１、Ｎ１−Ｎ２等…）がスプリアス予想周波数となる。
【００２６】
図２（Ｄ）に示すように放送局Ｎ０、Ｎ１，Ｎ２の受信周波数と倍数周波数夫との差の絶対値である第２差周波数（Ｎ０−Ｎ０×２、Ｎ０−Ｎ０×３等…）がスプリアス予測周波数となる。
【００２７】
図２（Ｅ）に示す放送局Ｎ０，Ｎ１，Ｎ２の受信周波数の倍数周波数の夫々２個の差の絶対値である第３差周波数（Ｎ０×２−Ｎ０×３等…）がスプリアス予測周波数となる。
【００２８】
尚、請求項記載の受信電界強度判定手段は有効局検出回路１８、受信周波数記憶手段は受信周波数メモリ領域１９Ａ、スプリアス予測記憶手段は禁止設定メモリ領域１９Ｂ、スプリアス予測算出手段及び制御手段はマイコン２０に相当するものである。
【００２９】
次に本実施の形態を示すＡＭ／ＦＭ放送受信機１の動作について説明する。図３は本実施の形態を示すＡＭ／ＦＭ放送受信機１のスプリアス禁止設定処理に関わるマイコン２０の処理動作を示すフローチャートである。
【００３０】
図３に示すスプリアス禁止設定処理とは、例えば電源投入時のシーク動作でスプリアス予測周波数を予め算出して、このスプリアス予測周波数を禁止設定メモリ領域１９Ｂに記憶する処理である。
【００３１】
図３においてマイコン２０は、ＡＭ／ＦＭ放送受信機１への電源投入を検出したか否かを判定する（ステップＳ１１）。
【００３２】
ＡＭ／ＦＭ放送受信機１への電源投入を検出したのであれば、音声ミュートをＯＮして（ステップＳ１２）、ＡＭ周波数帯域内の周波数に対してプリシーク動作を実行する（ステップＳ１３）。
【００３３】
マイコン２０は、このプリシーク動作で受信した周波数でのＳメータを検出し、有効局検出回路１８を通じて、この周波数のＳメータが所定値を超えた周波数であるか否かを判定する（ステップＳ１４）。このＳメータが所定値を超えた周波数であると判断されると、この受信周波数を受信周波数メモリ領域１９Ａに記憶する（ステップＳ１５）。
【００３４】
マイコン２０は、受信周波数メモリ領域１９Ａに記憶中の受信周波数に基づいてスプリアス予測周波数を算出する（ステップＳ１６）。さらに、ＡＭ受信周波数帯域が５３０ｋＨｚ〜１７１０ｋＨｚとしていることから、図２の網掛けで示すように、この周波数帯域内にあるスプリアス予測周波数のみを抽出し（ステップＳ１７）、この抽出したスプリアス予測周波数を禁止設定メモリ領域１９Ｂに記憶して（ステップＳ１８）、ミュートをＯＦＦすることで（ステップＳ１９）、この処理動作を終了する。
【００３５】
ステップＳ１１にてＡＭ／ＦＭ放送受信機１への電源投入を検出したのでなければ、又はステップＳ１４にてＳメータが所定値を超えた周波数がなければ、この処理動作を終了する。
【００３６】
図３に示すスプリアス禁止設定処理によれば、プリシーク動作でＳメータが所定値を超えた周波数である受信周波数を記憶し、これら受信周波数に基づいてスプリアス予測周波数を算出し、これらスプリアス予測周波数を禁止設定メモリ領域１９Ｂに記憶するようにした。
【００３７】
尚、ステップＳ１１にてＡＭ／ＦＭ放送受信機１への電源投入を検出したのであれば、ステップＳ１２以降のプリシーク動作を実行するようにしたが、ＦＭからＡＭへのモード変更を検出したとしても、同様にステップＳ１２以降のプリシーク動作を実行するようにしても良い。
【００３８】
次にスプリアス禁止設定処理にてＡＭ周波数帯域内の全スプリアス予測周波数を禁止設定メモリ領域１９Ｂに記憶した後、ＡＭ放送のシーク動作を開始するＡＭシーク処理について説明する。図４は本実施の形態を示すＡＭ／ＦＭ放送受信機１内部のＡＭシーク処理に関わるマイコン２０の処理動作を示すフローチャートである。
【００３９】
図４に示すＡＭシーク処理とは、ＡＭ周波数帯域内のスプリアス予測周波数を避けることで、不要なシーク動作の停止を無くし、有効なＡＭ放送だけをシーク受信するための処理である。
【００４０】
図４においてマイコン２０は、ＡＭ放送のシーク動作を開始すると（ステップＳ２１）、有効局検出回路１８を通じて、シーク受信した受信周波数のＳメータが所定値を超えたか否かを判定する（ステップＳ２２）。
【００４１】
マイコン２０は、シーク受信した受信周波数のＳメータが所定値を超えたのであれば、この受信周波数が禁止設定メモリ領域１９Ｂ内のスプリアス予測周波数内にあるか否かを判定する（ステップＳ２３）。
【００４２】
マイコン２０は、Ｓメータが所定値を超えたと判断された受信周波数が禁止設定メモリ領域１９Ｂ内のスプリアス予測周波数内にないと判定されると、この受信周波数の放送局を有効局と判断し、シーク動作を停止して検波回路１６を通じて同受信周波数をＡＭ検波出力することで（ステップＳ２４）、この処理動作を終了する。
【００４３】
ステップＳ２３にてＳメータが所定値を超えたと判断された受信周波数が禁止設定メモリ領域１９Ｂ内のスプリアス予測周波数内にあると判定されると、この受信周波数の放送局を無効局と判断し、シーク動作を停止することなく、受信周波数メモリ領域１９Ａ内から次の受信周波数を読み出し、この受信周波数へのシーク動作を開始することで（ステップＳ２５）、ステップＳ２２に移行する。
【００４４】
マイコン２０は、シーク受信した受信周波数のＳメータが所定値を超えたと判断されなければ、この受信周波数の放送局を無効局と判断し、シーク動作を停止することなく、受信周波数メモリ領域１９Ａ内から次の受信周波数を読み出し、この受信周波数へのシーク動作を開始するステップＳ２５に移行する。
【００４５】
本実施の形態によれば、例えば電源投入時やＦＭからＡＭへモード変更時等、ＡＭ放送電波の受信を選択すると、ＡＭ周波数帯域内の周波数を順次シーク受信し、この受信した周波数でのＳメータが所定値を超えていると判定されると、この受信周波数を受信周波数メモリ領域１９Ａに記憶しておき、この記憶した受信周波数に基づいてスプリアス予測周波数を算出し、この算出したスプリアス予測周波数を禁止設定メモリ領域１９Ｂに記憶しておくことで、このスプリアス予測周波数によるシーク動作の停止を禁止するようにしたので、ＡＭ放送電波に生じやすいスプリアス妨害による、例えば混信局や無効局を有効局と誤判断してしまうことで生じる不要なシーク動作の停止を確実に防止することができる。
【００４６】
【発明の効果】
上記のように構成された本発明の放送受信装置によれば、放送電波の受信を選択すると、周波数帯域内の周波数を順次シーク受信し、この受信した周波数での受信電界強度が所定値を超えていると判定されると、この受信周波数を記憶しておき、この記憶した受信周波数に基づいてスプリアス予測周波数を算出し、この算出したスプリアス予測周波数をスプリアス予測記憶手段に記憶しておくことで、このスプリアス予測周波数を受信周波数とする、シーク機能によるシーク動作の停止を禁止するようにしたので、スプリアス妨害による、例えば混信局や無効局を有効局と誤判断してしまうことで生じる不要なシーク動作の停止を確実に防止することができる。
【図面の簡単な説明】
【図１】本発明の放送受信装置における実施の形態を示すＡＭ／ＦＭ放送受信機内部の概略構成を示すブロック図である。
【図２】本実施の形態に関わるスプリアス予測周波数の演算結果を端的に示す説明図である。
【図３】本実施の形態を示すＡＭ／ＦＭ放送受信機のスプリアス禁止設定処理に関わるマイコンの処理動作を示すフローチャートである。
【図４】本実施の形態を示すＡＭ／ＦＭ放送受信機のＡＭシーク処理に関わるマイコンの処理動作を示すフローチャートである。
【符号の説明】
１  ＡＭ／ＦＭ放送受信機（放送受信装置）
１８  有効局検出回路（受信電界強度判定手段）
１９Ａ  受信周波数メモリ領域（受信周波数記憶手段）
１９Ｂ  禁止設定メモリ領域（スプリアス予測記憶手段）
２０  マイコン（スプリアス予測算出手段、制御手段）
【図１】
0003976596.tif 000002
【図２】
0003976596.tif 000003
【図３】
0003976596.tif 000004
【図４】
0003976596.tif 000005